(57)【要約】  ユーザ装置は、基地局装置と通信を行い、複数の同期ブロックと、ＰＤＣＣＨ  ｏｒｄｅｒとを前記基地局装置から受信する受信部と、前記ＰＤＣＣＨ  ｏｒｄｅｒに基づく非衝突型ランダムアクセスに使用される同期ブロックを前記複数の同期ブロックから選択し、前記ＰＤＣＣＨ  ｏｒｄｅｒに基づいてランダムアクセスプリアンブル及びランダムアクセスチャネルリソースを特定する制御部と、前記選択された同期ブロック及び前記特定されたランダムアクセスチャネルリソースを使用して前記特定されたランダムアクセスプリアンブルを前記基地局装置に送信する送信部とを有する。
2019159304.tif 000002
【特許請求の範囲】
【請求項１】
基地局装置と通信を行うユーザ装置であって、
複数の同期ブロックと、ＰＤＣＣＨ  ｏｒｄｅｒとを前記基地局装置から受信する受信部と、
前記ＰＤＣＣＨ  ｏｒｄｅｒに基づく非衝突型ランダムアクセスに使用される同期ブロックを前記複数の同期ブロックから選択し、前記ＰＤＣＣＨ  ｏｒｄｅｒに基づいてランダムアクセスプリアンブル及びランダムアクセスチャネルリソースを特定する制御部と、
前記選択された同期ブロック及び前記特定されたランダムアクセスチャネルリソースを使用して前記基地局装置に前記特定されたランダムアクセスプリアンブルを送信する送信部とを有するユーザ装置。
【請求項２】
前記選択された同期ブロックに対応するランダムアクセスプリアンブル及びランダムアクセスチャネルリソースを特定する請求項１記載のユーザ装置。
【請求項３】
前記特定されたランダムアクセスプリアンブル及び前記特定されたランダムアクセスチャネルリソースは、前記ＰＤＣＣＨ  ｏｒｄｅｒに含まれる、同期ブロックごとに関連付けられるランダムアクセスプリアンブルインデックス又はランダムアクセスチャネルリソースに割り振られる同期ブロック間で共通のインデックスによって特定される請求項２記載のユーザ装置。
【請求項４】
１つのランダムアクセスチャネルリソースと関連付けられる同期ブロックの数に基づいて、前記ＰＤＣＣＨ  ｏｒｄｅｒに含まれる、使用されるランダムアクセスチャネルを特定する情報量が変更される請求項３記載のユーザ装置。
【請求項５】
前記選択された同期ブロック及び前記特定されたランダムアクセスチャネルリソースは、前記ＰＤＣＣＨ  ｏｒｄｅｒに含まれる、すべての同期ブロックそれぞれに関連付けられるランダムアクセスチャネルリソースに割り振られる一連のインデックスによって選択又は特定される請求項１記載のユーザ装置。
【請求項６】
前記ＰＤＣＣＨ  ｏｒｄｅｒを受信したとき、アクティブなバンド幅部分にランダムアクセスチャネルが設定されていない場合、デフォルトのバンド幅部分でランダムアクセスプリアンブルを送信する請求項１記載のユーザ装置。
【請求項７】
ユーザ装置と通信を行う基地局装置であって、
複数の同期ブロックと、ＰＤＣＣＨ  ｏｒｄｅｒとを前記ユーザ装置に送信する送信部と、
前記ＰＤＣＣＨ  ｏｒｄｅｒに基づいて、非衝突型ランダムアクセスに使用される同期ブロックに対応するランダムアクセスプリアンブル及びランダムアクセスチャネルリソースを特定する設定部と、
前記特定されたランダムアクセスプリアンブルを前記特定されたランダムアクセスチャネルリソースを使用して前記ユーザ装置から受信する受信部とを有する基地局装置。
【発明の詳細な説明】
【技術分野】
【０００１】
本発明は、無線通信システムにおけるユーザ装置及び基地局装置に関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「５Ｇ」あるいは「ＮＲ」という。）の検討が進んでいる。５Ｇでは、１０Ｇｂｐｓ以上のスループットを実現しつつ無線区間の遅延を１ｍｓ以下にするという要求条件を満たすために、様々な無線技術の検討が行われている。【０００３】
ＮＲでは、ユーザ装置と基地局装置とが接続を確立する際の初期アクセスにおいて、基地局装置から送信される同期信号によるセル検出及びセル同定、及び初期アクセスに必要なシステム情報の一部の取得が、ユーザ装置によって行われる（例えば非特許文献１）。【０００４】
また、ＮＲでは、ＬＴＥ（Long Term Evolution）と同様の低い周波数帯から、ＬＴＥよりも更に高い周波数帯までの幅広い周波数を使用することが想定されている。特に、高周波数帯では伝搬ロスが増大することから、当該伝搬ロスを補うために、ビーム幅の狭いビームフォーミングを適用することが検討されている（例えば非特許文献２）。
【先行技術文献】
【非特許文献】
【０００５】
【非特許文献１】３ＧＰＰ  ＴＳ  ３６．２１３  Ｖ１４．５．０（２０１７−１２）
【非特許文献２】３ＧＰＰ  ＴＳ  ３６．２１１  Ｖ１４．５．０（２０１７−１２）
【発明の概要】
【発明が解決しようとする課題】
【０００６】
ＮＲにおいて、初期アクセスに必要な同期信号及びシステム情報の一部は、連続したＯＦＤＭ（Orthogonal Frequency Division Multiplexing）シンボルから構成されるＳＳ  ｂｌｏｃｋ（Synchronization Signal block）と呼ばれるリソースユニットで、無線フレームにマッピングされる。ユーザ装置は、基地局装置から送信されるＳＳ  ｂｌｏｃｋを受信して初期アクセスに必要な情報を取得する。初期アクセスに必要な情報には、ＲＡＣＨ（Random Access Channel）リソース及びプリアンブル信号形式を特定する情報が含まれる。【０００７】
また、ＮＲにおいては、基地局装置は、ビームフォーミングを適用して複数のビームを送信する。当該ビームに関連付けられたＳＳ  ｂｌｏｃｋをユーザ装置は受信し、初期アクセスに必要な情報を取得する。ＲＡＣＨリソースは、ＳＳ  ｂｌｏｃｋに関連付けられている。【０００８】
ここで、基地局装置からのＰＤＣＣＨ  ｏｒｄｅｒによりトリガされる非衝突型ランダムアクセスに使用されるＲＡＣＨリソースをユーザ装置に通知する場合、ＲＡＣＨリソースを特定するための情報、すなわち、ＲＡＣＨリソースの時間領域及び周波数領域の位置、プリアンブルインデックス、関連付けられるＳＳ  ｂｌｏｃｋ等が特定される必要がある。【０００９】
また、ＮＲにおいては、ＢＷＰ（Bandwidth Part）ごとのＲＡＣＨ  ｃｏｎｆｉｇｕｒａｔｉｏｎが想定されるため、ユーザ装置がランダムアクセス手順をいずれのＢＷＰで行うのか、通知されるか又は予め規定される必要がある。【００１０】
本発明は上記の点に鑑みてなされたものであり、ＮＲにおけるランダムアクセス手順で使用されるＲＡＣＨリソースをユーザ装置に適切に通知することを目的とする。
【課題を解決するための手段】
【００１１】
開示の技術によれば、基地局装置と通信を行うユーザ装置であって、複数の同期ブロックと、ＰＤＣＣＨ  ｏｒｄｅｒとを前記基地局装置から受信する受信部と、前記ＰＤＣＣＨ  ｏｒｄｅｒに基づく非衝突型ランダムアクセスに使用される同期ブロックを前記複数の同期ブロックから選択し、前記ＰＤＣＣＨ  ｏｒｄｅｒに基づいてランダムアクセスプリアンブル及びランダムアクセスチャネルリソースを特定する制御部と、前記選択された同期ブロック及び前記特定されたランダムアクセスチャネルリソースを使用して前記基地局装置に前記特定されたランダムアクセスプリアンブルを送信する送信部を有するユーザ装置が提供される。
【発明の効果】
【００１２】
開示の技術によれば、ＮＲにおけるランダムアクセス手順で使用されるＲＡＣＨリソースをユーザ装置に適切に通知することができる。
【図面の簡単な説明】
【００１３】
【図１】本発明の実施の形態における無線通信システムの構成例を示す図である。
【図２】時間領域におけるＲＡＣＨリソース指定の例を示す図である。
【図３】本発明の実施の形態におけるＳＳ  ｂｌｏｃｋに関連付けられたＲＡＣＨリソースを説明するための図である。
【図４】本発明の実施の形態におけるランダムアクセス手順の例を説明するためのシーケンス図である。
【図５】本発明の実施の形態におけるランダムアクセス手順の例を説明するためのフローチャートである。
【図６Ａ】本発明の実施の形態におけるＳＳ  ｂｌｏｃｋとＲＡＣＨリソースとのマッピングの例（１）を示す図である。
【図６Ｂ】本発明の実施の形態におけるＳＳ  ｂｌｏｃｋとＲＡＣＨリソースとのマッピングの例（２）を示す図である。
【図６Ｃ】本発明の実施の形態におけるＳＳ  ｂｌｏｃｋとプリアンブルインデックスとのマッピングの例（１）を示す図である。
【図７】本発明の実施の形態におけるＳＳ  ｂｌｏｃｋとＲＡＣＨリソースとのマッピングの例（３）を示す図である。
【図８Ａ】本発明の実施の形態におけるＳＳ  ｂｌｏｃｋとＲＡＣＨリソースとのマッピングの例（４）を示す図である。
【図８Ｂ】本発明の実施の形態におけるＳＳ  ｂｌｏｃｋとプリアンブルインデックスとのマッピングの例（２）を示す図である。
【図９】本発明の実施の形態におけるＳＳ  ｂｌｏｃｋとＲＡＣＨリソースとのマッピングの例（５）を示す図である。
【図１０】本発明の実施の形態における基地局装置１００の機能構成の一例を示す図である。
【図１１】本発明の実施の形態におけるユーザ装置２００の機能構成の一例を示す図である。
【図１２】本発明の実施の形態における基地局装置１００又はユーザ装置２００のハードウェア構成の一例を示す図である。
【発明を実施するための形態】
【００１４】
以下、図面を参照して本発明の実施の形態を説明する。なお、以下で説明する実施の形態は一例であり、本発明が適用される実施の形態は、以下の実施の形態に限られない。
【００１５】
本発明の実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１６】
また、以下で説明する本発明の実施の形態では、既存のＬＴＥで使用されているＳＳ（Synchronization Signal）、ＰＳＳ（Primary SS）、ＳＳＳ（Secondary SS）、ＰＢＣＨ（Physical broadcast channel）、ＰＲＡＣＨ（Physical RACH）等の用語を使用している。これは記載の便宜上のためであり、これらと同様の信号、機能等が他の名称で呼ばれてもよい。
【００１７】
また、本発明の実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。また、以下の説明において、送信ビームを用いて信号を送信することは、プリコーディングベクトルが乗算された（プリコーディングベクトルでプリコードされた）信号を送信することとしてもよい。同様に、受信ビームを用いて信号を受信することは、所定の重みベクトルを受信した信号に乗算することとしてもよい。また、送信ビームを用いて信号を送信することは、特定のアンテナポートで信号を送信することと表現されてもよい。同様に、受信ビームを用いて信号を受信することは、特定のアンテナポートで信号を受信することと表現されてもよい。アンテナポートとは、３ＧＰＰの規格で定義されている論理アンテナポート又は物理アンテナポートを指す。なお、送信ビーム及び受信ビームの形成方法は、上記の方法に限られない。例えば、複数アンテナを備える基地局装置１００又はユーザ装置２００において、それぞれのアンテナの角度を変える方法を用いてもよいし、プリコーディングベクトルを用いる方法とアンテナの角度を変える方法を組み合わせる方法を用いてもよいし、異なるアンテナパネルを切り替えて利用してもよいし、複数のアンテナパネルを合わせて使う方法を組み合わせる方法を用いてもよいし、その他の方法を用いてもよい。また、例えば、高周波数帯において、複数の互いに異なる送信ビームが使用されてもよい。複数の送信ビームが使用されることを、マルチビーム運用といい、ひとつの送信ビームが使用されることを、シングルビーム運用という。
【００１８】
図１は、本発明の実施の形態における通信システムを説明するための図である。本発明の実施の形態における無線通信システムは、図１に示されるように、基地局装置１００及びユーザ装置２００を含む。図１には、基地局装置１００及びユーザ装置２００が１つずつ示されているが、これは例であり、それぞれ複数であってもよい。
【００１９】
基地局装置１００は、１つ以上のセルを提供し、ユーザ装置２００と無線通信を行う通信装置である。図１に示されるように、基地局装置１００は、同期信号及びシステム情報をユーザ装置２００に送信する。同期信号は、例えば、ＮＲ−ＰＳＳ及びＮＲ−ＳＳＳである。システム情報は、例えば、ＮＲ−ＰＢＣＨにて送信される。また、システム情報は、報知情報ともいう。基地局装置１００及びユーザ装置２００とはいずれも、ビームフォーミングを行って信号の送受信を行うことが可能である。ユーザ装置２００は、スマートフォン、携帯電話機、タブレット、ウェアラブル端末、Ｍ２Ｍ（Machine-to-Machine）用通信モジュール等の無線通信機能を備えた通信装置であり、基地局装置１００に無線接続し、無線通信システムにより提供される各種通信サービスを利用する。初期アクセスの段階において、図１に示されるように、ユーザ装置２００は、ランダムアクセスのプリアンブル信号を基地局装置１００に送信する。当該ランダムアクセスは、基地局装置１００から受信したＮＲ−ＰＢＣＨによるシステム情報に加え、ＮＲ−ＰＤＣＣＨ（Physical downlink control channel）によってスケジューリングされたＮＲ−ＰＤＳＣＨ（Physical downlink shared channel）によるシステム情報であるＲＭＳＩ（Remaining minimum system information）に基づいて行われる。ＲＭＳＩは、例えば、ＲＡＣＨ設定等の初期アクセスに必要な情報を含む。
【００２０】
図２は、時間領域におけるＲＡＣＨリソース指定の例を示す図である。図２において、時間領域におけるＲＡＣＨリソースを指定する「ＰＲＡＣＨ  Ｍａｓｋ  Ｉｎｄｅｘ」の例を示す。「ＰＲＡＣＨ  Ｍａｓｋ  Ｉｎｄｅｘ」は、ＲＡＣＨ  ｃｏｎｆｉｇｕｒａｔｉｏｎ  ｉｎｄｅｘによって指定されるＲＡＣＨリソースのうち、いずれの時間領域のＲＡＣＨリソースが利用可能であるかユーザ装置２００に通知するための情報である。
【００２１】
図２に示される例のＦＤＤのＰＲＡＣＨにおいては、ＰＲＡＣＨ  Ｒｅｓｏｕｒｃｅ  Ｉｎｄｅｘ  ０からＰＲＡＣＨ  Ｒｅｓｏｕｒｃｅ  Ｉｎｄｅｘ  ９までの１０通りと、サブフレームの最初のＰＲＡＣＨからカウントしてＰＲＡＣＨ送信機会の偶数番目と、サブフレームの最初のＰＲＡＣＨからカウントしてＰＲＡＣＨ送信機会の奇数番目とが設定可能である。
【００２２】
図２に示される例のＴＤＤのＰＲＡＣＨにおいては、ＰＲＡＣＨ  Ｒｅｓｏｕｒｃｅ  Ｉｎｄｅｘ  ０からＰＲＡＣＨ  Ｒｅｓｏｕｒｃｅ  Ｉｎｄｅｘ  ５までの６通りと、サブフレームの最初のＰＲＡＣＨからカウントしてＰＲＡＣＨ送信機会の偶数番目と、サブフレームの最初のＰＲＡＣＨからカウントしてＰＲＡＣＨ送信機会の奇数番目と、サブフレームの最初のＰＲＡＣＨ  Ｒｅｓｏｕｒｃｅ  Ｉｎｄｅｘと、サブフレームの２番目のＰＲＡＣＨ  Ｒｅｓｏｕｒｃｅ  Ｉｎｄｅｘと、サブフレームの３番目のＰＲＡＣＨ  Ｒｅｓｏｕｒｃｅ  Ｉｎｄｅｘとが利用可能である。
【００２３】
図３は、本発明の実施の形態におけるＳＳ  ｂｌｏｃｋに関連付けられたＲＡＣＨリソースを説明するための図である。図３に示されるように、ＮＲにおいて、基地局装置１００からビームに関連付けられたＳＳ  ｂｌｏｃｋ（以下、「ＳＳＢ」という。）を含むＳＳ  ｂｕｒｓｔ  ｓｅｔが送信される。ユーザ装置２００は、検出可能なＳＳＢを受信して、受信したＳＳＢに関連付けられたＲＡＣＨリソースでプリアンブルを送信して初期アクセス手順を開始する。ＲＡＣＨリソースは、ビームに関連付けられていてもよい。
【００２４】
図３に示される例では、ＳＳ  ｂｕｒｓｔ  ｓｅｔに含まれる４番目のＳＳＢをユーザ装置２００は受信し、４番目のＳＳＢに関連付けられているＲＡＣＨリソース２で、プリアンブルを送信する。また、図３に示される例では、ＳＳ  ｂｕｒｓｔ  ｓｅｔに含まれる２番目のＳＳＢは、ＲＡＣＨリソース１に関連付けられ、ＳＳ  ｂｕｒｓｔ  ｓｅｔに含まれる６番目のＳＳＢは、ＲＡＣＨリソース３に関連付けられている。また、ＳＳＢには、対応するＳＳＢ  ｉｎｄｅｘが存在し、例えば、ＳＳ  ｂｕｒｓｔ  ｓｅｔに含まれる４番目のＳＳＢのＳＳＢ  ｉｎｄｅｘは、「４」と定義される。
【００２５】
図４は、本発明の実施の形態におけるランダムアクセス手順の例を説明するためのシーケンス図である。ステップＳ１において、ＰＤＣＣＨ  ｏｒｄｅｒ（以下、「ＰＤＣＣＨ指示」という。）が、基地局装置１００からユーザ装置２００に通知される。ＰＤＣＣＨ指示とは、例えば、接続状態（Connected mode）にあるユーザ装置２００が、ＵＬ（Uplink）同期が外れている可能性がある場合に、同期を回復するためにネットワークからランダムアクセス手順をユーザ装置２００にトリガするものである。また、例えばＬＴＥにおいては、ＰＤＣＣＨ指示を介して、プリアンブルインデックス（６ｂｉｔ）、図２で説明したＰＲＡＣＨ  Ｍａｓｋ  Ｉｎｄｅｘ（４ｂｉｔ）等のＲＡＣＨリソース及びプリアンブルインデックスを特定する情報が、ＤＣＩ（Downlink Control Information）フォーマット１Ａを用いて、ユーザ装置２００に通知される。上記のＲＡＣＨリソース及びプリアンブルインデックスを特定する情報は、ＲＲＣ（Radio Resource Control）シグナリングによって通知される場合もある。
【００２６】
上記のように指定されたプリアンブルインデックスを用いて、ユーザ装置２００がランダムアクセス手順を実行することによって、非衝突型ランダムアクセスを行うことができる。なお、衝突型ランダムアクセスの場合、所定の範囲のプリアンブルインデックスから、ランダムに使用するプリアンブルが選択される。
【００２７】
また、ＮＲにおいて、上記のＲＡＣＨリソース及びプリアンブルインデックスを特定する情報を含むＲＡＣＨに係る設定は、ＢＷＰごとに設定される可能性がある。ＮＲにおいて、ＢＷＰは、ＤＬ（Downlink）又はＵＬそれぞれのキャリア帯域幅内で、ユーザ装置２００に通知される利用可能な帯域の位置及び幅に対応する。例えば、ＲＲＣによって１又は複数のＢＷＰがセミスタティックに設定されて、ＤＬ又はＵＬそれぞれでいずれか１つのＢＷＰがアクティブに設定されることが想定される。アクティブなＢＷＰは、ＤＣＩ又はタイマ等によって切り替えられる。「Ｉｎｉｔｉａｌ  ａｃｔｉｖｅ  ＢＷＰ」とは、アイドル状態のユーザ装置２００が、初期アクセス時に使用するＢＷＰである。すなわち、当該ＢＷＰにおいて、初期アクセスが実行される。「Ｄｅｆａｕｌｔ  ＢＷＰ」は、アクティブなＢＷＰのタイマが満了した場合等に、切り替わるＢＷＰである。
【００２８】
ステップＳ２において、ユーザ装置２００は、ステップＳ１で取得したＲＡＣＨリソース及びプリアンブルインデックスを特定する情報に基づいて、ランダムアクセスプリアンブルを基地局装置１００に送信する。
【００２９】
ステップＳ３において、基地局装置１００は、ランダムアクセスレスポンスをユーザ装置２００に送信する。ランダムアクセスレスポンスは、ランダムアクセスプリアンブルに対する応答であり、ＰＤＣＣＨにてＲＡ−ＲＮＴＩ（Random Access - Radio Network Temporary Identifier）宛てに送信され、少なくともランダムアクセスプリアンブルの識別子、タイミングアライメント及び初期上りリンクグラントを含む。非衝突型ランダムアクセスの場合、ステップＳ３でランダムアクセス手順は完了する。
【００３０】
図５は、本発明の実施の形態におけるランダムアクセス手順の例を説明するためのフローチャートである。図５は、ユーザ装置２００におけるランダムアクセス手順の一例を示す図である。基地局装置１００は、ＰＳＳ、ＳＳＳ及びＰＢＣＨを、ユーザ装置２００に送信する。ＰＢＣＨには、システム情報の一部が含まれる。なお、ランダムアクセス手順開始時に、送信カウンタは「１」が設定される。
【００３１】
ステップＳ１１において、ユーザ装置２００は、基地局装置１００から受信したランダムアクセス手順を実行するためのリソース、すなわち、周波数領域及び時間領域で特定されるＲＡＣＨリソース及びプリアンブルフォーマット等を特定する情報に基づいて、ランダムアクセスに使用するリソースを選択する。続いて、ユーザ装置２００は、選択されたリソースを使用してランダムアクセスプリアンブルを送信する（Ｓ１２）。ランダムアクセスプリアンブルの送信電力設定については後述する。
【００３２】
ステップＳ１３において、ユーザ装置２００は、基地局装置１００からランダムアクセスレスポンスを受信する。ランダムアクセスレスポンスは、ランダムアクセスプリアンブルに対する応答である。ランダムアクセスレスポンスがユーザ装置２００において受信された場合（Ｓ１３のＹＥＳ）、ステップＳ１４に進み、ランダムアクセスレスポンスがユーザ装置２００において受信されなかった場合（Ｓ１３のＮＯ）、ステップＳ１５に進む。
【００３３】
ステップＳ１４において、ユーザ装置２００は、ランダムアクセスが成功したとみなし、ランダムアクセス手順を終了する。
【００３４】
ステップＳ１５において、ユーザ装置２００は、送信カウンタが通知されるか予め規定される上限を超えたか否か判定する。上限を超えている場合（Ｓ１５のＹＥＳ）、ステップＳ１７に進み、上限を超えていない場合（Ｓ１５のＮＯ）、ステップＳ１７に進む。
【００３５】
ステップＳ１６において、ユーザ装置２００は、ランダムアクセスが失敗したとみなし、ランダムアクセス手順を終了する。一方、ステップＳ１７において、ユーザ装置２００は、送信カウンタを１増やして、ランダムアクセスプリアンブルを再送するためにステップＳ１１に戻り、再度ランダムアクセスリソースの選択を行う。
【００３６】
図６Ａは、本発明の実施の形態におけるＳＳ  ｂｌｏｃｋとＲＡＣＨリソースとのマッピングの例（１）を示す図である。１「ＲＡＣＨ  ｏｃｃａｓｉｏｎ」（以下、「ＲＡＣＨ送信機会」という。）あたりのＳＳＢの数が、ＳＳＢとＲＡＣＨリソースとのマッピングに係るパラメータとして設定される。１ＲＡＣＨ送信機会あたりのＳＳＢの数は、例えば、１／８、１／４、１／２、１、２、４、８、１６であってもよい。１ＲＡＣＨ送信機会は、周波数領域及び時間領域で１度ＲＡＣＨを送信することができるＲＡＣＨリソースに対応する。また、ＳＳＢとＲＡＣＨリソースとのマッピングは、第１にプリアンブルインデックスが優先され、第２に周波数領域が優先され、第３に時間領域が優先される。
【００３７】
図６Ａは、１ＲＡＣＨ送信機会にマッピングされるＳＳＢの数が１／８であり、ＳＳＢの総数は３であるマッピングの例である。図６Ａに示されるように、８つのＲＡＣＨ送信機会に、１つのＳＳＢが対応することで、１ＲＡＣＨ送信機会にマッピングされるＳＳＢの数は１／８となる。異なる網掛けで示した異なる３つのＳＳＢそれぞれに、８つのＲＡＣＨ送信機会がマッピングされる
【００３８】
図６Ｂは、本発明の実施の形態におけるＳＳ  ｂｌｏｃｋとＲＡＣＨリソースとのマッピングの例（２）を示す図である。図６Ｂは、無線フレームの１スロットあたりに対応するＲＡＣＨリソースを模式的に示した例である。１スロットあたりに対応するＲＡＣＨリソースをＲＡＣＨスロットと呼んでもよい。１スロットあたり、周波数領域に４つのリソース及び時間領域に３つのリソースが対応し、全部で１２のＲＡＣＨリソースが含まれる。
【００３９】
図６Ｃは、本発明の実施の形態におけるＳＳ  ｂｌｏｃｋとプリアンブルインデックスとのマッピングの例（１）を示す図である。図６Ｃは、プリアンブルインデックス領域に、ＳＳＢがマッピングされる例である。１ＲＡＣＨリソースに、６４プリアンブルインデックスが対応する。６４プリアンブルインデックスは、ＳＳＢの数で等分されてマッピングされる。図６Ｃは、ＳＳＢの数が４である場合に４等分されてマッピングされる例であり、図示される１マスが１６プリアンブルインデックスに対応する。
【００４０】
プリアンブルインデックスのマッピングにおいて、さらに、衝突型ランダムアクセス（以下、「ＣＢＲＡ（Contention based random access）」という。）又は非衝突型ランダムアクセス（以下、「ＣＦＲＡ（Contention free random access）という。」のいずれに使用されるプリアンブルインデックスであるかが割り当てられてもよい。例えば、１ＲＡＣＨ送信機会あたりのＣＢＲＡ用のプリアンブルの数が割り当てられてもよい。当該ＣＢＲＡ用のプリアンブルの数の割り当て方法は、１ＲＡＣＨ送信機会あたりのＳＳＢの数で異なってもよい。例えば、１ＲＡＣＨ送信機会あたりのＳＳＢの数が、１／８、１／４、１／２、１、２であるとき、プリアンブルインデックスの数が相対的に大きいため、ＣＢＲＡ用のプリアンブルの数は、粒度が４で割り当てられてもよく、１ＲＡＣＨ送信機会あたりのＳＳＢの数が、４、８、１６であるとき、プリアンブルインデックスの数が相対的に小さいため、粒度が１で割り当てられてもよい。
【００４１】
例えば、１ＲＡＣＨ送信機会あたりのＳＳＢの数が２であるとき、６４プリアンブルインデックスは２等分されて、１ＳＳＢあたり３２プリアンブルインデックスがマッピングされる。さらに、ＣＢＲＡ用のプリアンブルの数が、４＊６＝２４が割り当てられた場合、２４プリアンブルインデックスがＣＢＲＡ用、残りの８プリアンブルインデックスがＣＦＲＡ用となる。
【００４２】
図７は、本発明の実施の形態におけるＳＳ  ｂｌｏｃｋとＲＡＣＨリソースとのマッピングの例（３）を示す図である。図７は、周波数領域のリソース数が２であり、１ＲＡＣＨ送信機会あたりのＳＳＢの数が２であり、ＳＳＢの総数が８であるマッピングの例である。１ＲＡＣＨ送信機会あたりのＳＳＢの数が２であるため、プリアンブルインデックス領域において２つのＳＳＢがマッピングされる。第１にプリアンブルインデックスが優先され、第２に周波数領域が優先され、第３に時間領域が優先されるマッピングであるため、例えばＳＳＢ＃１及びＳＳＢ＃２がマッピングされるＲＡＣＨリソースの次の周波数領域のＲＡＣＨリソースには、ＳＳＢ＃３及びＳＳＢ＃４がマッピングされる。また例えば、ＳＳＢ＃１〜ＳＳＢ＃４がマッピングされるＲＡＣＨリソースの次の時間領域のＲＡＣＨリソースには、ＳＳＢ＃５〜ＳＳＢ＃８がマッピングされる。
【００４３】
図８Ａは、本発明の実施の形態におけるＳＳ  ｂｌｏｃｋとＲＡＣＨリソースとのマッピングの例（４）を示す図である。ＰＤＣＣＨ指示によりトリガされるランダムアクセス手順を含む、接続状態にあるユーザ装置２００が実行するランダムアクセス手順において、ユーザ装置２００が使用するＳＳＢは、以下のように選択されてもよい。
１）最も良い受信品質又は電力が測定されたＳＳＢを選択する。
２）自由に選択する。
３）直近で選択していたＳＳＢを選択する。例えば、ユーザ装置２００がＰＲＡＣＨ送信又は測定のために選択していたＳＳＢを選択する。
【００４４】
ここで、各ＳＳＢに対応するＲＡＣＨリソース群又はプリアンブルインデックス群に対する相対的位置が、基地局装置１００からユーザ装置２００に通知されてもよい。すなわち、ＳＳＢごとの、時間領域、周波数領域又はプリアンブルインデックス領域のそれぞれに対して、相対的位置が通知されてもよい。
【００４５】
図８Ａは、各ＳＳＢに対応するＲＡＣＨリソース群に対する相対的位置が通知される例であって、１ＲＡＣＨ送信機会にマッピングされるＳＳＢの数が１／８であり、ＳＳＢの総数は３である。図８Ａに示されるように、１ＳＳＢに８ＲＡＣＨリソースが対応するため、時間領域及び周波数領域の位置は３ビットで通知することができる。すなわち、１ＳＳＢに対応するＲＡＣＨリソースを特定する通知を行うため、すべてのＳＳＢに対応するＲＡＣＨリソースを特定する通知よりも情報量が削減できる。図８Ａに示されるように、３ビットの０から８のインデックスで示されるＲＡＣＨリソースは、第１に周波数領域、第２に時間領域を優先して特定されてもよい。なお、インデックスで示されるＲＡＣＨリソースは、第１に時間領域、第２に周波数領域を優先して特定されてもよい。ユーザ装置２００が、いずれのＳＳＢを選択するかは、上述の１）２）３）に基づいて決定される。また、１ＳＳＢが１ＲＡＣＨリソース以下にマッピングされるとき、リソース割り当てに３ビットは必要ないため、例えば、異なるＤＣＩフォーマットを利用して、リソース通知に使用される情報量を削減してもよい。すなわち、１ＲＡＣＨ送信機会にマッピングされるＳＳＢの数に応じて、ＲＡＣＨリソースの時間領域及び周波数領域の位置を通知するための情報量を変更してもよい。
【００４６】
図８Ｂは、本発明の実施の形態におけるＳＳ  ｂｌｏｃｋとプリアンブルインデックスとのマッピングの例（２）を示す図である。図８Ｂは、各ＳＳＢに対応するプリアンブルインデックス群に対する相対的位置が通知される例であって、１ＲＡＣＨ送信機会にマッピングされるＳＳＢの数は２である。さらに、３２プリアンブルインデックス中、ＣＦＲＡ用に８プリアンブルインデックスが割り当てられる例である。すなわち、図８Ｂに示される例では、３２プリアンブルインデックス中のいずれのプリアンブルインデックスが使用されるかがユーザ装置２００に通知される。使用されるプリアンブルインデックスは、時間領域及び周波数領域の位置を示す情報とは別途通知されてもよい。
【００４７】
また、図８Ｂに示されるように、１つのＳＳＢに、３２プリアンブルインデックスが割り当てられる場合、ＣＦＲＡ用のプリアンブルインデックスは、第１のＳＳＢにおいてプリアンブルインデックス２４から３１、第２のＳＳＢにおいてプリアンブルインデックス２４から３１となる。なお、ＣＦＲＡ用のプリアンブルインデックスは、プリアンブルインデックスの大きい側に割り当てられてもよいし、プリアンブルインデックスの小さい側に割り当てられてもよいし、いずれの範囲に割り当てられてもよい。
【００４８】
図９は、本発明の実施の形態におけるＳＳ  ｂｌｏｃｋとＲＡＣＨリソースとのマッピングの例（５）を示す図である。ランダムアクセスに使用するＳＳＢは、ネットワークからユーザ装置２００に通知されてもよい。例えば、ネットワークは、ＳＳＢインデックスをユーザ装置２００に通知してもよい。さらに、図８Ａで説明したように、各ＳＳＢに対応するＲＡＣＨリソース群又はプリアンブルインデックス群に対する相対的位置が、ネットワークからユーザ装置２００に通知されてもよい。
【００４９】
例えば、図９に示されるように、すべてのＲＡＣＨリソースにインデックスがマッピングされて、当該インデックスがネットワークからユーザ装置２００に通知されてもよい。したがって、当該インデックスによって、暗黙的に使用するＳＳＢがユーザ装置２００において特定される。ユーザ装置２００は、ネットワークから通知されたＲＡＣＨリソースから対応するＳＳＢを特定して、当該ＳＳＢに基づいてＰＲＡＣＨを送信する。
【００５０】
なお、ユーザ装置２００がランダムアクセスに使用するＳＳＢを選択するか、又はネットワークからユーザ装置２００にランダムアクセスに使用するＳＳＢを通知するかの動作を、切り替えることが可能であってもよい。例えば、ＰＤＣＣＨ指示に含まれる１ビットの情報で、いずれの動作を行うか指定されてもよい。さらに、当該１ビットに基づいて、図８Ａ及び図８Ｂで説明した各ＳＳＢに対応するＲＡＣＨリソース群に対する相対的位置を示す情報が通知されるか、又は図９で説明したすべてのＲＡＣＨリソースにインデックスがマッピングされている位置を示す情報が通知されるかをユーザ装置２００は判断してもよい。また、例えば、ユーザ装置２００がランダムアクセスに使用するＳＳＢを選択するか、又はネットワークからランダムアクセスに使用するＳＳＢをユーザ装置２００に通知するかの動作の切り替えは、予めいずれかの動作を行うように規定されて、さらに、ＰＤＣＣＨ指示に含まれるビット列がある指定のビット列にされた場合に、ユーザ装置２００は動作を切り替えてもよい。
【００５１】
なお、ユーザ装置２００は、ＰＲＡＣＨ送信をトリガされたとき、アクティブなＵＬ−ＢＷＰにＲＡＣＨが設定されていなかった場合、デフォルトＢＷＰに切り替えて、ＰＲＡＣＨを送信してもよい。また、ユーザ装置２００は、ＰＲＡＣＨ送信をトリガされたとき、アクティブなＵＬ−ＢＷＰにＲＡＣＨが設定されていなかった場合、アイドル状態から初期アクセスに使用した「Ｉｎｉｔｉａｌ  ａｃｔｉｖｅ  ＵＬ  ＢＷＰ」に切り替えて、ＰＲＡＣＨを送信してもよい。ここで、ＳＣｅｌｌ（Secondary cell）等で「Ｉｎｉｔｉａｌ  ａｃｔｉｖｅ  ＵＬ  ＢＷＰ」がない場合、デフォルトＵＬ−ＢＷＰに切り替えて、ユーザ装置２００はＰＲＡＣＨを送信してもよい。また、基地局装置１００は、ＰＲＡＣＨ送信をトリガするとき、ＰＲＡＣＨ送信に使用するＢＷＰインデックスを通知してもよい。すなわち、基地局装置１００は、ＰＤＣＣＨ指示又は他のＲＲＣメッセージに、ＢＷＰインデックスを含めて、ユーザ装置２００に通知してもよい。
【００５２】
なお、ユーザ装置２００は、ランダムアクセスレスポンスがスケジューリングされるＰＤＣＣＨ受信時に、送信したＰＲＡＣＨに対応するＲＡ−ＲＮＴＩによる復号を行い、自身が送信したＰＲＡＣＨに対するランダムアクセスレスポンスか否かを判定してもよい。そこで、ＲＡ−ＲＮＴＩの計算に用いる周波数インデックスとして、各ＢＷＰにおける周波数インデックスを用いてもよい。例えば、各ＢＷＰにおいて、最大のＲＡＣＨ用周波数リソース数は８であるため、最大８のインデックスとしてもよい。すなわち、ユーザ装置２００は、アクティブなＤＬ−ＢＷＰにおいて、ＰＲＡＣＨを送信したＵＬ−ＢＷＰにおける周波数インデックスを用いて計算したＲＡ−ＲＮＴＩを用いてランダムアクセスレスポンスの受信を試みてもよい。
【００５３】
また、各ＢＷＰにおいて共通してＲＡ−ＲＮＴＩが設定されてもよい。例えば、ユーザ装置２００に同時に設定されるＢＷＰは４つのため、４＊８＝３２の周波数インデックスでＲＡ−ＲＮＴＩを計算してもよい。いずれのインデックスが、いずれのＢＷＰと対応するかは、ユーザ装置２００において設定されたＢＷＰインデックスによって決定されてもよい。例えば、ＢＷＰインデックス０に対応する８個の周波数インデックスは、ＲＡ−ＲＮＴＩの３２の周波数インデックスのうち、０〜７に対応させてもよい。
【００５４】
なお、ユーザ装置２００は、ＢＷＰごとのＲＡ−ＲＮＴＩによってランダムアクセスレスポンスを受信したとき、ランダムアクセスレスポンスに含まれる次のＰＵＳＣＨ送信のためのＵＬスケジューリング情報について、現在アクティブなＵＬ−ＢＷＰにおいて、当該ＵＬスケジューリング情報を適用してＰＵＳＣＨを送信してもよい。また、ユーザ装置２００は、ＰＲＡＣＨを送信したＵＬ−ＢＷＰにアクティブＢＷＰを切り替えて、当該ＵＬスケジューリング情報を適用してＰＵＳＣＨを送信してもよい。また、ユーザ装置２００は、ＰＲＡＣＨ送信から当該ＵＬスケジューリング情報を受信するまでの間に、ＵＬ−ＢＷＰが切り替わっていた場合は、再度ＰＲＡＣＨ再送を行ってもよい。
【００５５】
上述の実施例により、基地局装置１００は、ＰＤＣＣＨ指示によってトリガされる非衝突型ランダムアクセスに使用されるＳＳＢ、ＲＡＣＨリソース及びプリアンブルインデックスを効率的にユーザ装置２００に通知することができる。また、ユーザ装置２００は、ＰＤＣＣＨ指示によってトリガされる非衝突型ランダムアクセスにおけるランダムアクセスプリアンブルを送信するＵＬ−ＢＷＰを特定することができる。
【００５６】
すなわち、ＮＲにおけるランダムアクセス手順で使用されるＲＡＣＨリソースをユーザ装置に適切に通知することができる。
【００５７】
（装置構成）
次に、これまでに説明した処理及び動作を実行する基地局装置１００及びユーザ装置２００の機能構成例を説明する。基地局装置１００及びユーザ装置２００は上述した実施例を実施する機能を含む。ただし、基地局装置１００及びユーザ装置２００はそれぞれ、実施例の中の一部の機能のみを備えることとしてもよい。
【００５８】
＜基地局装置１００＞
図１０は、基地局装置１００の機能構成の一例を示す図である。図１０に示されるように、基地局装置１００は、送信部１１０と、受信部１２０と、設定情報管理部１３０と、初期アクセス設定部１４０とを有する。図１０に示される機能構成は一例に過ぎない。本発明の実施の形態に係る動作を実行できるのであれば、機能区分及び機能部の名称はどのようなものでもよい。
【００５９】
送信部１１０は、ユーザ装置２００側に送信する信号を生成し、当該信号を無線で送信する機能を含む。受信部１２０は、ユーザ装置２００から送信された各種の信号を受信し、受信した信号から、例えばより上位のレイヤの情報を取得する機能を含む。また、送信部１１０は、ユーザ装置２００へＮＲ−ＰＳＳ、ＮＲ−ＳＳＳ、ＮＲ−ＰＢＣＨ、ＤＬ／ＵＬ制御信号等を送信する機能を有する。また、例えば、送信部１１０は、ユーザ装置２００に初期アクセスに使用される情報を含む報知情報又はＵＬスケジューリングを送信し、受信部１２０は、ユーザ装置２００からＲＡＣＨプリアンブルを受信する機能を有する。
【００６０】
設定情報管理部１３０は、予め設定される設定情報、及び、ユーザ装置２００に送信する各種の設定情報を格納する。設定情報の内容は、例えば、初期アクセスの送受信パラメータに係る情報等である。
【００６１】
初期アクセス設定部１４０は、実施例において説明したように、ユーザ装置２００に初期アクセスに使用される情報を通知し、ユーザ装置２００から送信されるランダム悪エスプリアンブル受信時の処理、ランダムアクセスレスポンスの送信等を実行する。
【００６２】
＜ユーザ装置２００＞
図１１は、ユーザ装置２００の機能構成の一例を示す図である。図１１に示されるように、ユーザ装置２００は、送信部２１０と、受信部２２０と、設定情報管理部２３０と、初期アクセス制御部２４０とを有する。図１１に示される機能構成は一例に過ぎない。本発明の実施の形態に係る動作を実行できるのであれば、機能区分及び機能部の名称はどのようなものでもよい。
【００６３】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１００から送信されるＮＲ−ＰＳＳ、ＮＲ−ＳＳＳ、ＮＲ−ＰＢＣＨ、ＤＬ／ＵＬ制御信号等を受信する機能を有する。また、例えば、送信部２１０は、ＮＲ−ＰＲＡＣＨ、ＮＲ−ＰＵＳＣＨ等を基地局装置１００に送信する機能を有する。
【００６４】
設定情報管理部２３０は、受信部２２０により基地局装置１００又はユーザ装置２００から受信した各種の設定情報を格納する。また、設定情報管理部２３０は、予め設定される設定情報も格納する。設定情報の内容は、例えば、初期アクセスの送受信パラメータに係る情報等である。
【００６５】
初期アクセス制御部２４０は、実施例において説明したように、ユーザ装置２００から基地局装置１００に送信する初期アクセスに係るプリアンブル及びメッセージを生成する。また、初期アクセス制御部２４０は、初期アクセスに係るプリアンブルの送信電力を制御する。初期アクセス制御部２４０における信号送信に関する機能部を送信部２１０に含め、初期アクセス制御部２４０における信号受信に関する機能部を受信部２２０に含めてもよい。
【００６６】
（ハードウェア構成）
上述の本発明の実施の形態の説明に用いた機能構成図（図１０及び図１１）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６７】
また、例えば、本発明の一実施の形態における基地局装置１００及びユーザ装置２００はいずれも、本発明の実施の形態に係る処理を行うコンピュータとして機能してもよい。図１２は、本発明の実施の形態に係る基地局装置１００又はユーザ装置２００である無線通信装置のハードウェア構成の一例を示す図である。上述の基地局装置１００及びユーザ装置２００はそれぞれ、物理的には、プロセッサ１００１、記憶装置１００２、補助記憶装置１００３、通信装置１００４、入力装置１００５、出力装置１００６、バス１００７などを含むコンピュータ装置として構成されてもよい。
【００６８】
なお、以下の説明では、「装置」という文言は、回路、デバイス、ユニットなどに読み替えることができる。基地局装置１００及びユーザ装置２００のハードウェア構成は、図に示した１００１〜１００６で示される各装置を１つ又は複数含むように構成されてもよいし、一部の装置を含まずに構成されてもよい。
【００６９】
基地局装置１００及びユーザ装置２００における各機能は、プロセッサ１００１、記憶装置１００２などのハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【００７０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。
【００７１】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図１０に示した基地局装置１００の送信部１１０、受信部１２０、設定情報管理部１３０、初期アクセス設定部１４０は、記憶装置１００２に格納され、プロセッサ１００１で動作する制御プログラムによって実現されてもよい。また、例えば、図１１に示したユーザ装置２００の送信部２１０と、受信部２２０と、設定情報管理部２３０、初期アクセス制御部２４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７２】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などの少なくとも１つで構成されてもよい。記憶装置１００２は、レジスタ、キャッシュ、メインメモリ（主記憶装置）などと呼ばれてもよい。記憶装置１００２は、本発明の一実施の形態に係る処理を実施するために実行可能なプログラム（プログラムコード）、ソフトウェアモジュールなどを保存することができる。
【００７３】
補助記憶装置１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。補助記憶装置１００３は、補助記憶装置と呼ばれてもよい。上述の記憶媒体は、例えば、記憶装置１００２及び／又は補助記憶装置１００３を含むデータベース、サーバその他の適切な媒体であってもよい。
【００７４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局装置１００の送信部１１０及び受信部１２０は、通信装置１００４で実現されてもよい。また、ユーザ装置２００の送信部２１０及び受信部２２０は、通信装置１００４で実現されてもよい。
【００７５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００７６】
また、プロセッサ１００１及び記憶装置１００２などの各装置は、情報を通信するためのバス１００７で接続される。バス１００７は、単一のバスで構成されてもよいし、装置間で異なるバスで構成されてもよい。
【００７７】
また、基地局装置１００及びユーザ装置２００はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７８】
（実施の形態のまとめ）
以上、説明したように、本発明の実施の形態によれば、基地局装置と通信を行うユーザ装置であって、複数の同期ブロックと、ＰＤＣＣＨ  ｏｒｄｅｒとを前記基地局装置から受信する受信部と、前記ＰＤＣＣＨ  ｏｒｄｅｒに基づく非衝突型ランダムアクセスに使用される同期ブロックを前記複数の同期ブロックから選択し、前記ＰＤＣＣＨ  ｏｒｄｅｒに基づいてランダムアクセスプリアンブル及びランダムアクセスチャネルリソースを特定する制御部と、前記選択された同期ブロック及び前記特定されたランダムアクセスチャネルリソースを使用して前記基地局装置に前記特定されたランダムアクセスプリアンブルを送信する送信部とを有するユーザ装置が提供される。
【００７９】
上記の構成により、基地局装置１００は、ＰＤＣＣＨ指示によってトリガされる非衝突型ランダムアクセスに使用されるＲＡＣＨリソース及びプリアンブルインデックスを効率的にユーザ装置２００に通知することができる。また、ユーザ装置２００は、非衝突型ランダムアクセスに使用されるＳＳＢを複数のＳＳＢから選択することができる。すなわち、ＮＲにおけるランダムアクセス手順で使用されるＲＡＣＨリソースをユーザ装置に適切に通知することができる。
【００８０】
前記選択された同期ブロックに対応するランダムアクセスプリアンブル及びランダムアクセスチャネルリソースを特定してもよい。当該構成により、ユーザ装置２００は、使用するＳＳＢに対応するプリアンブルインデックス及びＲＡＣＨリソースを特定することができる。
【００８１】
前記特定されたランダムアクセスプリアンブル及び前記特定されたランダムアクセスチャネルリソースは、前記ＰＤＣＣＨ  ｏｒｄｅｒに含まれる、同期ブロックごとに関連付けられるランダムアクセスプリアンブルインデックス又はランダムアクセスチャネルリソースに割り振られる同期ブロック間で共通のインデックスによって特定されてもよい。当該構成により、基地局装置１００は、ＰＤＣＣＨ指示によってトリガされる非衝突型ランダムアクセスに使用されるＲＡＣＨリソース及びプリアンブルインデックスをＳＳＢ間で共通のインデックスを用いてユーザ装置２００に通知することができる。
【００８２】
１つのランダムアクセスチャネルリソースと関連付けられる同期ブロックの数に基づいて、前記非衝突型ランダムアクセスをトリガする情報に含まれる、使用されるランダムアクセスチャネルを特定する情報量が変更されてもよい。当該構成により、基地局装置１００は、ＰＤＣＣＨ指示によってトリガされる非衝突型ランダムアクセスに使用されるＲＡＣＨリソースを効率的にユーザ装置２００に通知することができる。
【００８３】
前記選択された同期ブロック及び前記特定されたランダムアクセスチャネルリソースは、前記ＰＤＣＣＨ  ｏｒｄｅｒに含まれる、すべての同期ブロックそれぞれに関連付けられるランダムアクセスチャネルリソースに割り振られる一連のインデックスによって選択又は特定されてもよい。当該構成により、基地局装置１００は、ＰＤＣＣＨ指示によってトリガされる非衝突型ランダムアクセスに使用されるＳＳＢ及びＲＡＣＨリソースを効率的にユーザ装置２００に通知することができる。
【００８４】
前記ＰＤＣＣＨ  ｏｒｄｅｒを受信したとき、アクティブなバンド幅部分にランダムアクセスチャネルが設定されていない場合、デフォルトのバンド幅部分でランダムアクセスプリアンブルを送信してもよい。当該構成により、ユーザ装置２００は、ＰＤＣＣＨ指示によってトリガされる非衝突型ランダムアクセスにおけるランダムアクセスプリアンブルを送信するＵＬ−ＢＷＰを特定することができる。
【００８５】
また、本発明の実施の形態によれば、ユーザ装置と通信を行う基地局装置であって、１又は複数の同期ブロックと、ＰＤＣＣＨ  ｏｒｄｅｒとを前記ユーザ装置に送信する送信部と、前記ＰＤＣＣＨ  ｏｒｄｅｒに基づいて、非衝突型ランダムアクセスに使用される同期ブロックに対応するランダムアクセスプリアンブル及びランダムアクセスチャネルリソースを特定する設定部と、前記特定されたランダムアクセスプリアンブルを前記特定されたランダムアクセスチャネルリソースを使用して前記ユーザ装置から受信する受信部とを有する基地局装置が提供される。
【００８６】
上記の構成により、基地局装置１００は、ＰＤＣＣＨ指示によってトリガされる非衝突型ランダムアクセスに使用されるＲＡＣＨリソース及びプリアンブルインデックスを効率的にユーザ装置２００に通知することができる。すなわち、ＮＲにおけるランダムアクセス手順で使用されるＲＡＣＨリソースをユーザ装置に適切に通知することができる。
【００８７】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１００及びユーザ装置２００は機能的なブロック図を用いて説明されたが、そのような装置はハードウェアで、ソフトウェアで又はそれらの組み合わせで実現されてもよい。本発明の実施の形態に従って基地局装置１００が有するプロセッサにより動作するソフトウェア及び本発明の実施の形態に従ってユーザ装置２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８８】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００８９】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００９０】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９１】
本明細書において基地局装置１００によって行われるとした特定動作は、場合によってはその上位ノード（upper node）によって行われることもある。基地局装置１００を有する１つ又は複数のネットワークノード（network nodes）からなるネットワークにおいて、ユーザ装置２００との通信のために行われる様々な動作は、基地局装置１００及び／又は基地局装置１００以外の他のネットワークノード（例えば、ＭＭＥ又はＳ−ＧＷなどが考えられるが、これらに限られない）によって行われ得ることは明らかである。上記において基地局装置１００以外の他のネットワークノードが１つである場合を例示したが、複数の他のネットワークノードの組み合わせ（例えば、ＭＭＥ及びＳ−ＧＷ）であってもよい。
【００９２】
本明細書で説明した各態様／実施形態は単独で用いてもよいし、組み合わせて用いてもよいし、実行に伴って切り替えて用いてもよい。
【００９３】
ユーザ装置２００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００９４】
基地局装置１００は、当業者によって、ＮＢ（NodeB）、ｅＮＢ（evolved NodeB）、ｇＮＢ、ベースステーション（Base Station）、又はいくつかの他の適切な用語で呼ばれる場合もある。
【００９５】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００９６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９７】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【００９８】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【００９９】
なお、本発明の実施の形態において、初期アクセス制御部２４０は、制御部の一例である。初期アクセス設定部１４０は、設定部の一例である。ＳＳＢは、同期ブロックの一例である。ＰＤＣＣＨ  ｏｒｄｅｒは、非衝突型ランダムアクセスをトリガする情報の一例である。ＢＷＰは、バンド幅部分の一例である。
【０１００】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１０１】
１００      基地局装置
１１０      送信部
１２０      受信部
１３０      設定情報管理部
１４０      初期アクセス設定部
２００      ユーザ装置
２１０      送信部
２２０      受信部
２３０      設定情報管理部
２４０      初期アクセス制御部
１００１    プロセッサ
１００２    記憶装置
１００３    補助記憶装置
１００４    通信装置
１００５    入力装置
１００６    出力装置
【図１】
2019159304.tif 000003
【図２】
2019159304.tif 000004
【図３】
2019159304.tif 000005
【図４】
2019159304.tif 000006
【図５】
2019159304.tif 000007
【図６Ａ】
2019159304.tif 000008
【図６Ｂ】
2019159304.tif 000009
【図６Ｃ】
2019159304.tif 000010
【図７】
2019159304.tif 000011
【図８Ａ】
2019159304.tif 000012
【図８Ｂ】
2019159304.tif 000013
【図９】
2019159304.tif 000014
【図１０】
2019159304.tif 000015
【図１１】
2019159304.tif 000016
【図１２】
2019159304.tif 000017
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
同期ブロックと、非衝突型ランダムアクセスをトリガする指示とを前記基地局装置から受信する受信部と、
非衝突型ランダムアクセスをトリガする指示に基づいて、前記非衝突型ランダムアクセスに使用する同期ブロック、ランダムアクセスプリアンブル及びランダムアクセスチャネルリソースを特定する制御部と、
特定された前記同期ブロック及び前記ランダムアクセスチャネルリソースを使用して、前記ランダムアクセスプリアンブルを前記基地局装置に送信する送信部とを有する端末。
【請求項２】
前記制御部は、前記非衝突型ランダムアクセスをトリガする指示に含まれる同期ブロックを示すインデックスに基づいて、第１に周波数領域、第２に時間領域の順に優先して前記インデックスにマッピングされるランダムアクセスチャネル送信機会から、前記ランダムアクセスチャネルリソースを特定する請求項１記載の端末。
【請求項３】
前記送信部は、非衝突型ランダムアクセスをトリガされたとき、アクティブな上りリンクＢＷＰ（Bandwidth part）にランダムアクセスチャネルリソースが設定されていなかった場合、イニシャルＢＷＰを用いてランダムアクセスチャネルを送信する請求項１記載の端末。
【請求項４】
前記制御部は、ランダムアクセスチャネルを送信した上りリンクＢＷＰにおける周波数インデックスを用いて、ＲＡ−ＲＮＴＩ（Random Access - Radio Network Temporary Identifier）を算出し、前記受信部は、前記ＲＡ−ＲＮＴＩを用いて、前記基地局装置からランダムアクセスレスポンスを受信する請求項１記載の端末。
【請求項５】
前記受信部が前記基地局装置からランダムアクセスレスポンスを受信したとき、前記送信部は、前記ランダムアクセスレスポンスに含まれる上りリンクスケジューリング情報に基づいて、上りリンク共有チャネルをアクティブな上りリンクＢＷＰにおいて送信する請求項１記載の端末。
【請求項６】
同期ブロックと、非衝突型ランダムアクセスに使用される同期ブロック、ランダムアクセスプリアンブル及びランダムアクセスチャネルリソースを示す情報を含む非衝突型ランダムアクセスをトリガする指示とを端末に送信する送信部と、
前記ランダムアクセスチャネルリソースを使用して、前記端末から前記ランダムアクセスプリアンブルを受信する受信部とを有する基地局装置。
【国際調査報告】
2019159304.tif 000018
2019159304.tif 000019
2019159304.tif 000020
2019159304.tif 000021